(57)【要約】【課題】ネックレス、ブレスレット、その他のチェーン類を使用する装身具のリング径調節機構に関し、構造が単純で長さ調節のための操作が簡単であり、しかも所定の長さを保つ時に確実に係合することができる装身具のリング径調節機構を提供しようとするものである。【解決手段】ネックレス、ブレスレット、その他のチェーン類を使用する装身具のリング径調節機構であって、筒状保持枠と、筒状保持枠の適所に設けたチェーン通し孔と、該チェーン通し孔に沿って取り付けた凹状断面の固定ガイドと、前記筒状保持枠の一方の開口部に取り付けたバネ受け部材と、該バネ受け部材と前記固定ガイドとの間に設けられた凹状断面の可動ガイドと、前記バネ受け部材と可動ガイドとの間に配置したバネ材と、前記筒状保持枠の他方の開口部に移動可能に取り付けられ、前記可動ガイドの開口部を収納保持した押圧部材とで構成されていることを特徴とする装身具のリング径調節機構。【選択図】  図２
2008132203.tif 000002
【特許請求の範囲】
【請求項１】
ネックレス、ブレスレット、その他のチェーン類を使用する装身具のリング径調節機構であって、
筒状保持枠と、筒状保持枠の適所に設けたチェーン通し孔と、該チェーン通し孔に沿って取り付けた凹状断面の固定ガイドと、前記筒状保持枠の一方の開口部に取り付けたバネ受け部材と、該バネ受け部材と前記固定ガイドとの間に設けられた凹状断面の可動ガイドと、前記バネ受け部材と可動ガイドとの間に配置したバネ材と、前記筒状保持枠の他方の開口部に移動可能に取り付けられ、前記可動ガイドの開口部を収納保持した押圧部材とで構成され、
前記可動ガイドは常態において前記チェーン通し孔から通されたチェーンを押圧する方向に前記バネ材で押されており、
前記押圧部材を押すと、押圧部材により押された前記可動ガイドがバネ材の弾性に抗してバネ受け部材側に移動し、チェーン通し孔から通されたチェーンへの押圧力を解除して、チェーンが固定ガイドと可動ガイドの間をスライドすることを可能とした
ことを特徴とする装身具のリング径調節機構。
【請求項２】
ネックレス、ブレスレット、その他のチェーン類を使用する装身具のリング径調節機構であって、
筒状保持枠と、筒状保持枠の適所に設けたチェーン通し孔と、該チェーン通し孔に沿って取り付けた凹状断面の固定ガイドと、前記筒状保持枠の一方の開口部に取り付けたバネ受け部材と、該バネ受け部材と前記固定ガイドとの間に設けられた凹状断面の可動ガイドと、該可動ガイドの周縁に設けたフランジと、前記バネ受け部材と可動ガイドとの間に配置したバネ材と、前記筒状保持枠の他方の開口部に移動可能に取り付けられ、周縁に前記フランジに当接する押圧部を形成した押圧部材とで構成され、
前記可動ガイドは常態において前記チェーン通し孔から通されたチェーンを押圧する方向に前記バネ材で押されており、
前記押圧部材を押すと、押圧部材によりフランジを押された前記可動ガイドがバネ材の弾性に抗してバネ受け部材側に移動し、チェーン通し孔から通されたチェーンへの押圧力を解除して、チェーンが固定ガイドと可動ガイドの間をスライドすることを可能とした
ことを特徴とする装身具のリング径調節機構。
【請求項３】
凹状断面の固定ガイドが、先端をチェーン通し孔に通し、チェーン通し孔の開口部との当接部分をロー付けしてなる請求項１記載の装身具のリング径調節機構。
【請求項４】
バネ材が、コイルバネからなる請求項１または２に記載の装身具のリング径調節機構。
【発明の詳細な説明】
【技術分野】
【０００１】
この発明は、ネックレス、ブレスレット、その他のチェーン類を使用する装身具のリング径調節機構に関し、構造が単純で長さ調節のための操作が簡単な装身具のリング径調節機構を提供しようとするものである。
【背景技術】
【０００２】
従来のネックレス、ブレスレット、その他のチェーン類を使用する装身具のリング径調節機構としては、（１）実公平４−４０４８４号公報（特許文献１参照）に示すようなネックレスの途中に挟み付けて使用する挟着金具を用いたもの（２）実用新案登録第３００５１３０号公報（特許文献２参照）に示すような板状の連結金具に大小の径を連結した形状からなる貫通孔を一対設け、これにチェーンや紐類を挿通して所定の長さに係止するようにしたもの（３）実用新案登録第３０４１８３６号公報（特許文献３参照）や実用新案登録第３０４２０７１号公報（特許文献４参照）、特開平１０−２９５４２０号公報（特許文献５参照）、特開平１０−２９５４２１号公報（特許文献６参照）、特開平１１−４６８２６号公報（特許文献７参照）に示すような、チェーンや紐類を挿通してスライド可能とした止め金具を使用したもの等が知られている。
【特許文献１】実公平４−４０４８４号公報
【特許文献２】実用新案登録第３００５１３０号公報
【特許文献３】実用新案登録第３０４１８３６号公報
【特許文献４】実用新案登録第３０４２０７１号公報
【特許文献５】特開平１０−２９５４２０号公報
【特許文献６】特開平１０−２９５４２１号公報
【特許文献７】特開平１１−４６８２６号公報
【発明の開示】
【発明が解決しようとする課題】
【０００３】
しかしながら、上記（１）の実公平４−４０４８４号公報に示すものは、連珠等には適しているものの、チェーンや紐類には不向きであった。また（２）の実用新案登録第３００５１３０号公報に示すものは、長さ調節のための操作が面倒であり、しかも板状の形態がネックレス等の美観を損ねてしまうという欠点があった。さらに、（３）の実用新案登録第３０４１８３６号公報や実用新案登録第３０４２０７１号公報、特開平１０−２９５４２０号公報、特開平１０−２９５４２１号公報、特開平１１−４６８２６号公報に示すチェーンや紐類を挿通してスライド可能とした止め金具を使用したものにおいては、重要なチェーンや紐類のスライドの際の滑りやすさと、その長さを保つ時の確実な係合の度合いとを両立させたものは存在しなかった。
【０００４】
この発明の装身具のリング径調節機構は従来例の上記欠点を解消しようとするもので、ネックレス、ブレスレット、その他のチェーン類を使用する装身具のリング径調節機構に関し、構造が単純で長さ調節のための操作が簡単であり、しかも所定の長さを保つ時に確実に係合することができる装身具のリング径調節機構を提供しようとするものである。
【課題を解決するための手段】
【０００５】
すなわち前記問題点を解決するため、この発明の装身具のリング径調節機構は、ネックレス、ブレスレット、その他のチェーン類を使用する装身具のリング径調節機構であって、
筒状保持枠と、筒状保持枠の適所に設けたチェーン通し孔と、該チェーン通し孔に沿って取り付けた凹状断面の固定ガイドと、前記筒状保持枠の一方の開口部に取り付けたバネ受け部材と、該バネ受け部材と前記固定ガイドとの間に設けられた凹状断面の可動ガイドと、前記バネ受け部材と可動ガイドとの間に配置したバネ材と、前記筒状保持枠の他方の開口部に移動可能に取り付けられ、前記可動ガイドの開口部を収納保持した押圧部材とで構成され、
前記可動ガイドは常態において前記チェーン通し孔から通されたチェーンを押圧する方向に前記バネ材で押されており、
前記押圧部材を押すと、押圧部材により押された前記可動ガイドがバネ材の弾性に抗してバネ受け部材側に移動し、チェーン通し孔から通されたチェーンへの押圧力を解除して、チェーンが固定ガイドと可動ガイドの間をスライドすることを可能とした
ことを特徴とするものである。
【０００６】
また、この発明の装身具のリング径調節機構は、ネックレス、ブレスレット、その他のチェーン類を使用する装身具のリング径調節機構であって、
筒状保持枠と、筒状保持枠の適所に設けたチェーン通し孔と、該チェーン通し孔に沿って取り付けた凹状断面の固定ガイドと、前記筒状保持枠の一方の開口部に取り付けたバネ受け部材と、該バネ受け部材と前記固定ガイドとの間に設けられた凹状断面の可動ガイドと、該可動ガイドの周縁に設けたフランジと、前記バネ受け部材と可動ガイドとの間に配置したバネ材と、前記筒状保持枠の他方の開口部に移動可能に取り付けられ、周縁に前記フランジに当接する押圧部を形成した押圧部材とで構成され、
前記可動ガイドは常態において前記チェーン通し孔から通されたチェーンを押圧する方向に前記バネ材で押されており、
前記押圧部材を押すと、押圧部材によりフランジを押された前記可動ガイドがバネ材の弾性に抗してバネ受け部材側に移動し、チェーン通し孔から通されたチェーンへの押圧力を解除して、チェーンが固定ガイドと可動ガイドの間をスライドすることを可能とした
ことをも特徴とするものである。
【０００７】
この発明の装身具のリング径調節機構は、上記凹状断面の固定ガイドが、先端をチェーン通し孔に通し、チェーン通し孔の開口部との当接部分をロー付けしたことをも特徴とするものである。
【０００８】
この発明の装身具のリング径調節機構は、上記バネ材が、コイルバネであることをも特徴とするものである。
【発明の効果】
【０００９】
この発明の装身具のリング径調節機構は、以上の構成を備えているので、次のような作用効果を奏するものである。
１）凹状断面の固定ガイドおよび可動ガイド間の面でチェーン類をスライド可能に保持するので、従来のチェーン類が部分的に負荷を受けて痛みやすいという欠点を解消することができる。
２）同様に面でチェーン類をスライド可能に保持するので、チェーン類のスライドをスムーズに行なうことができる。
３）同じく面でチェーン類をスライド可能に保持するという理由から、部分的に負荷がかかることがなく、耐久性が大幅に向上した。
４）面でチェーン類をスライド可能に保持するので、チェーン類に過度の負荷がかかった場合でも、チェーン類が滑ってチェーン類が破損してしまうことがない。
５）チェーン類はリング径調節機構を組み付ける際に簡単に固定ガイドと可動ガイドとの間に組み込めるので、チェーン類を簡単にリング径調節機構に装着することができる。
【発明を実施するための最良の形態】
【００１０】
以下、この発明の装身具のリング径調節機構の実施の形態を、図面に基づいて詳細に説明する。
【００１１】
図１はこの発明の装身具のリング径調節機構をネックレスに適用してリング径の調節を行なう場合を示す水平断面図、図２はその垂直断面図、図３は長さ調節可能とした状態を示す垂直断面図、図４（ａ）は筒状保持枠の断面図、（ｂ）はその平面図、図５（ａ）はバネ受け部材の断面図、（ｂ）はその平面図、図６（ａ）は可動ガイドの断面図、（ｂ）はその平面図、図７（ａ）は固定ガイドの断面図、（ｂ）はその平面図、図８（ａ）は押圧部材の断面図、（ｂ）はその平面図である。
また図９はこの発明の装身具のリング径調節機構をネックレスに適用してリング径の調節を行なう場合を示す正面図、図１０はその断面図、図１１は長さ調節可能とした状態を示す断面図、図１２（ａ）は筒状保持枠の断面図、（ｂ）はその平面図、図１３（ａ）はバネ受け部材の断面図、（ｂ）はその平面図、図１４（ａ）は可動ガイドの断面図、（ｂ）はその平面図、図１５（ａ）は固定ガイドの断面図、（ｂ）はその平面図、図１６（ａ）は押圧部材の断面図、（ｂ）はその平面図である。
【００１２】
第１の実施例を示す図１ないし図３において、２１はネックレス用チェーンで、その一端には、丸環２３を介してネックレスのリング径調節機構２２が取り付けられている。前記チェーン２１の他端は、リング径調節機構２２から引き出されて自由端となっており、先端に装飾体等を取り付けてリング径調節機構２２から引き抜くことを防止される。
【００１３】
上記リング径調節機構２２は、図４に示す筒状保持枠１１を備えている。この筒状保持枠１１は、適所に対向する一対のチェーン通し孔１２が設けてあり、該チェーン通し孔１２に沿って図７に示す凹状断面の固定ガイド１３が差し渡して固定されている。
前記凹状断面の固定ガイド１３は、両側の先端を前記対向する一対のチェーン通し孔１２に通し、チェーン通し孔１２の開口部との当接部分をロー付けすることによって固定しておくことが望ましい。
【００１４】
前記筒状保持枠１１の一方の開口部には、図５に示す円弧状断面のバネ受け部材１４が移動可能に取り付けてあり、該バネ受け部材１４と前記固定ガイド１３との間には、図６に示す凹状断面の可動ガイド１５が筒状保持枠１１の軸芯に沿って移動可能に配設してある。１６は、この可動ガイド１５の周壁に、前記固定ガイド１３を受け入れるように設けた一対のスリットである。
【００１５】
前記バネ受け部材１４と前記可動ガイド１５との間には、バネ受け部材１４に収納するようバネ材１７が配置してある。該バネ材１７は、コイルバネであることが望ましいが、ゴム系の弾性体等であっても良いことはもちろんである。
前記可動ガイド１５は、常態においてはバネ材１７によって、前記チェーン通し孔１２から通されたチェーン２１を押圧する方向に押されている。
【００１６】
また、前記筒状保持枠１１の他方の開口部には、図８に示す円弧状断面の押圧部材１８が移動可能に取り付けられている。該押圧部材１８には、前記可動ガイド１５の周壁を収納保持する筒状部１９が形成してある。図ではこの筒状部１９の最奥部分に前記可動ガイド１５の周壁先端が収納保持されている。
２０は前記押圧部材１８のほぼ中央部に形成した、固定ガイド１３を受け入れるための凹部である。
なお、バネ受け部材１４や押圧部材１８は、通常、筒状保持枠１１のそれぞれの開口部を内側に伏せ込むことにより抜け止めされる。
【００１７】
上記長さ調節用チェーン５の使用に際しては、図２および図３に詳細に示すように、前記筒状保持枠１１の両側から、バネ受け部材１４および前記押圧部材１８の膨頭部をバネ材１７の弾性力に抗して押せばよい。そうすることにより、押圧部材１８に収納保持した前記可動ガイド１５が押されて前記バネ受け部材１４側に移動し、固定ガイド１３と可動ガイド１５との間隔が広がって、長さ調節用チェーン２１を無理なく摺動させることができるようになるのである。
【００１８】
すなわち、常態においては、バネ材１７で固定ガイド１３側に押された可動ガイド１５が、チェーン通し孔１２から通されたチェーン２１へ所定の押圧力で押圧しており、チェーン２１は固定ガイド１３と可動ガイド１５との間で面としてソフトにかつ確実に保持されている。
この状態で前記筒状保持枠１１の両側から、バネ受け部材１４および前記押圧部材１８の膨頭部をバネ材１７の弾性力に抗して押すと、押圧部材１８により前記可動ガイド１５がバネ材１８の弾性に抗してバネ受け部材１４側に移動する。すると、チェーン通し孔１２から通されたチェーン２１への押圧力が解除され、チェーン２１を固定ガイド１３と可動ガイド１５との間において無理なくスライドさせることができるようになるのである。
【００１９】
以上のネックレスのリング径調節機構２２は、両端を穴開きプレートに固定した長さ調節用チェーン２１の上を、チェーン２１のループが小さくなる方向にスライドさせることにより、チェーン２１のループサイズは小さくなり、チェーン２１のループが大きくなる方向にスライドさせることにより、チェーン２１のループサイズは大きくなる。したがって、長さ調節用チェーン２１の長さ調節幅は、長さ調節用チェーン２１そのものを長くすることにより調節することができる。
【００２０】
第２の実施例を示す図９ないし図１１において、５１はネックレス用チェーンで、その一端には、丸環５３を介してネックレスのリング径調節機構５２が取り付けられている。前記チェーン５１の他端は、リング径調節機構５２から引き出されて自由端となっており、先端に装飾体等を取り付けてリング径調節機構５２から引き抜くことを防止される。
【００２１】
上記リング径調節機構５２は、図１２に示す筒状保持枠３１を備えている。この筒状保持枠３１は、適所に対向する一対のチェーン通し孔３２が設けてあり、該チェーン通し孔３２に沿って図１５に示す凹状断面の固定ガイド３３が差し渡して固定されている。
前記凹状断面の固定ガイド３３は、両側の先端を前記対向する一対のチェーン通し孔３２に通し、チェーン通し孔３２の開口部との当接部分をロー付けすることによって固定しておくことが望ましい。
【００２２】
前記筒状保持枠３１の一方の開口部には、図１３に示す円弧状断面のバネ受け部材３４が移動可能に取り付けてあり、該バネ受け部材３４と前記固定ガイド３３との間には、図１４に示す凹状断面の可動ガイド３５が筒状保持枠３１の軸芯に沿って移動可能に配設してある。３６は、この可動ガイド３５の周縁に、一対のチェーン通し孔３２の軸方向に直交する方向に設けた一対のフランジである。
【００２３】
前記バネ受け部材３４と前記可動ガイド３５との間には、バネ受け部材３４に収納するようバネ材３７が配置してある。該バネ材３７は、コイルバネであることが望ましいが、ゴム系の弾性体等であっても良いことはもちろんである。
前記可動ガイド３５は、常態においてはバネ材３７によって、前記チェーン通し孔３２から通されたチェーン５１を押圧する方向に押されている。
【００２４】
また、前記筒状保持枠３１の他方の開口部には、図１６に示す円弧状断面の押圧部材３８が移動可能に取り付けられている。該押圧部材３８の周縁には、前記可動ガイド３５の周縁に設けた一対のフランジ３６に当接するよう、押圧部３９が形成してある。図ではこの押圧部３９は各フランジ３６に対して所定の間隔で一対形成されている。
４０は前記押圧部材３８のほぼ中央部に形成した、固定ガイド３３を受け入れるための凹部である。
【００２５】
上記長さ調節用チェーン５の使用に際しては、図２および図３に詳細に示すように、前記筒状保持枠３１の両側から、バネ受け部材３４および前記押圧部材３８の膨頭部をバネ材３７の弾性力に抗して押せばよい。そうすることによって、押圧部材３８の押圧部３９により前記可動ガイド３５のフランジ３６が押され、可動ガイド３５を前記バネ受け部材３４側が移動して、固定ガイド３３と可動ガイド３５との間隔が広がり、長さ調節用チェーン５１を無理なく摺動させることができるようになる。
【００２６】
すなわち、常態においては、バネ材３７で固定ガイド３３側に押された可動ガイド３５が、チェーン通し孔３２から通されたチェーン５１へ所定の押圧力で押圧しており、チェーン５１は固定ガイド３３と可動ガイド３５との間で面としてソフトにかつ確実に保持されている。
この状態で前記筒状保持枠３１の両側から、バネ受け部材３４および前記押圧部材３８の膨頭部をバネ材３７の弾性力に抗して押すと、押圧部材３８により前記可動ガイド３５がバネ材３８の弾性に抗してバネ受け部材３４側に移動する。すると、チェーン通し孔３２から通されたチェーン５１への押圧力が解除され、チェーン５１を固定ガイド３３と可動ガイド３５との間において無理なくスライドさせることができるようになるのである。
【００２７】
以上のネックレスのリング径調節機構５２は、両端を穴開きプレートに固定した長さ調節用チェーン５１の上を、チェーン５１のループが小さくなる方向にスライドさせることにより、チェーン５１のループサイズは小さくなり、チェーン５１のループが大きくなる方向にスライドさせることにより、チェーン５１のループサイズは大きくなる。したがって、長さ調節用チェーン５１の長さ調節幅は、長さ調節用チェーン５１そのものを長くすることにより調節することができる。
【産業上の利用可能性】
【００２８】
この発明の装身具のリング径調節機構は以上のように構成したので、ネックレス、ブレスレット、その他のチェーン類を使用する装身具であればどのような種類の装身具であっても、そのリング径調節機構として使用することができる。
【図面の簡単な説明】
【００２９】
【図１】この発明の装身具のリング径調節機構をネックレスに適用してリング径の調節を行なう場合の実施例を示す正面図である。
【図２】その断面図である。
【図３】長さ調節可能とした状態を示す断面図である。
【図４】（ａ）は筒状保持枠の断面図、（ｂ）はその平面図である。
【図５】（ａ）はバネ受け部材の断面図、（ｂ）はその平面図である。
【図６】（ａ）は可動ガイドの断面図、（ｂ）はその平面図である。
【図７】（ａ）は固定ガイドの断面図、（ｂ）はその平面図である。
【図８】（ａ）は押圧部材の断面図、（ｂ）はその平面図である。
【図９】この発明の装身具のリング径調節機構をネックレスに適用してリング径の調節を行なう場合の他の実施例を示す正面図である。
【図１０】その断面図である。
【図１１】長さ調節可能とした状態を示す断面図である。
【図１２】（ａ）は筒状保持枠の断面図、（ｂ）はその平面図である。
【図１３】（ａ）はバネ受け部材の断面図、（ｂ）はその平面図である。
【図１４】（ａ）は可動ガイドの断面図、（ｂ）はその平面図である。
【図１５】（ａ）は固定ガイドの断面図、（ｂ）はその平面図である。
【図１６】（ａ）は押圧部材の断面図、（ｂ）はその平面図である。
【符号の説明】
【００３０】
１１  筒状保持枠
１２  チェーン通し孔
１３  固定ガイド
１４  バネ受け部材
１５  可動ガイド
１６  スリット
１７  バネ材
１８  押圧部材
１９  筒状部
２０  凹部
２１ ネックレス用チェーン
２２ リング径調節機構
２３  丸環
３１  筒状保持枠
３２  チェーン通し孔
３３  固定ガイド
３４  バネ受け部材
３５  可動ガイド
３６  フランジ
３７  バネ材
３８  押圧部材
３９  押圧部
４０  凹部
５１ ネックレス用チェーン
５２ リング径調節機構
５３  丸環
【図１】
2008132203.tif 000003
【図２】
2008132203.tif 000004
【図３】
2008132203.tif 000005
【図４】
2008132203.tif 000006
【図５】
2008132203.tif 000007
【図６】
2008132203.tif 000008
【図７】
2008132203.tif 000009
【図８】
2008132203.tif 000010
【図９】
2008132203.tif 000011
【図１０】
2008132203.tif 000012
【図１１】
2008132203.tif 000013
【図１２】
2008132203.tif 000014
【図１３】
2008132203.tif 000015
【図１４】
2008132203.tif 000016
【図１５】
2008132203.tif 000017
【図１６】
2008132203.tif 000018